(57)【特許請求の範囲】
【請求項１】
外枠組みの内側に形成された開口部に配置されてこの開口部を開閉するドア本体の幅方向途中部が、前記外枠組みに対して基端部を中心に揺動自在となった揺動部材の先端部で回動自在に支持されているとともに、前記ドア本体の幅方向途中部に設けられた被ガイド部材が、前記外枠組みを形成している上枠に取り付けられかつ前記ドア本体の幅方向に延びるガイド部材でガイドされているバランスドアにおいて、
前記ドア本体の幅方向途中部と前記揺動部材の先端部との連結部が、前記ドア本体の厚さ方向中央部から偏芯しており、
前記揺動部材は前記ドア本体の上下に配置された上アーム部材と下アーム部材とからなり、前記ドア本体の幅方向途中部と前記上アーム部材の先端部との連結部、及び前記ドア本体の幅方向途中部と前記下アーム部材の先端部との連結部が、前記ドア本体の厚さ方向中央部から偏芯しているとともに、これらの上下のアーム部材は揺動筒部材を中心に揺動し、
前記揺動筒部材は上側のピンと下側の軸を中心に揺動可能であるとともに、前記上側のピンは前記上枠に設けられているレバーの上下動する端部に係合されていてこの端部が下がることにより、前記上側のピンは前記揺動筒部材の内部に挿入され、前記下側の軸は、前記揺動筒部材が立てられる床に埋設されている受け部材に挿入されていることを特徴とするバランスドア。
【請求項２】
請求項１に記載のバランスドアにおいて、前記上アーム部材と前記下アーム部材のうち、少なくとも一方の先端に取り付け、取り外し自在な取付部材が設けられ、この取付部材に、前記ドア本体と連結されて前記一方との前記連結部を形成する連結部材が設けられていることを特徴とするバランスドア。
【請求項３】
請求項２に記載のバランスドアにおいて、前記取付部材は複数用意されており、それぞれの取付部材に設けられている前記連結部材についてドア本体厚さ方向中央部からの偏芯量が異なっており、前記複数の取付部材のなかから用いられる前記取付部材が選択されることを特徴とするバランスドア。
【請求項４】
請求項２又は３に記載のバランスドアにおいて、前記取付部材には、前記一方に対する前記ドア本体の位置を調整するための位置調整手段が設けられていることを特徴とするバランスドア。
【請求項５】
請求項１〜４のいずれかに記載のバランスドアにおいて、前記揺動筒部材の内部には、前記ドア本体に自閉力を付与するための自閉装置が収納され、前記下側の軸はこの自閉装置の作動軸となっていることを特徴とするバランスドア。
【発明の詳細な説明】
【０００１】
【発明の属する技術分野】
本発明は、スライド・スイング式ドア装置とも称せられるバランスドアに係り、特に、ドア本体が引き操作されることにより容易に開くようにしたバランスドアに関する。
【０００２】
【背景技術】
スライド・スイング式ドア装置とも称せられるバランスドアでは、ドア本体の幅方向（水平方向）途中部が、基端部を中心に水平面内で揺動自在となっている揺動部材の先端部で垂直軸を中心に回動自在に支持されているとともに、ドア本体の幅方向途中部に設けられたローラ等による被ガイド部材がドア本体の幅方向へ延びるガイド部材でガイドされるようになっている。このバランスドアでは、被ガイド部材がガイド部材で案内されながらドア本体の幅方向へ移動しつつ、ドア本体が、基端部を中心に揺動する揺動部材の先端部の垂直軸を中心にして回動することにより開口部を開閉する。これによると、ドア本体の開閉動を、開き戸装置よりも開閉動スペースを小さくし、また引戸装置で必要な戸袋を不要にして行えるという利点を得られる。
【０００３】
従来のバランスドアでは、ドア本体の幅方向途中部と揺動部材の先端部との連結部が、ドア本体の厚さ方向中央部に設けられていた。
【０００４】
【発明が解決しようとする課題】
バランスドアでは、ドア本体を開くために、揺動部材をこの揺動部材の基端部を中心に揺動させなければならないが、このように、ドア本体の幅方向途中部と揺動部材の先端部との連結部がドア本体の厚さ方向中央部に設けられていると、ドア本体をドア本体に設けられている把持部により引戸の感覚で引き操作した場合、その引き操作力の作用線上にこの連結部が存在するため、引き操作力によって揺動部材をこの揺動部材の基端部を中心に揺動させようとする力は生じない。このため、ドア本体を引き操作しただけでは開けることはできず、押すなどの操作も行わなければならないため、ドア本体の開き操作を容易に行えないという問題があった。
【０００５】
本発明の目的は、ドア本体を引き操作することにより容易に開くことができるようになるバランスドアを提供するところにある。
【０００６】
【課題を解決するための手段】
本発明に係るバランスドアは、ドア本体の幅方向途中部が、基端部を中心に揺動自在となった揺動部材の先端部で回動自在に支持されているとともに、前記ドア本体の幅方向途中部に設けられた被ガイド部材が、前記ドア本体の幅方向に延びるガイド部材でガイドされているバランスドアにおいて、前記ドア本体の幅方向途中部と前記揺動部材の先端部との連結部が、前記ドア本体の厚さ方向中央部から偏芯していることを特徴とするものである。
【０００７】
このバランスドアによると、ドア本体の幅方向途中部と揺動部材の先端部との連結部がドア本体の厚さ方向中央部に配置されておらず、この連結部はドア本体の厚さ方向中央部から偏芯しているため、ドア本体を引戸の感覚で引き操作した場合、この引き操作力によって揺動部材をこの揺動部材の基端部を中心に揺動させようとする力が生ずる。このため、揺動部材の揺動がなされ、ドア本体を単に引き操作するだけで容易に開くことができる。
【０００８】
このように引き操作力によって揺動部材をこの揺動部材の基端部を中心に揺動させようとする力を生じさせるためには、閉じているときのドア本体の厚さ方向中心部の延長線上に揺動部材の揺動中心部を配置すればよく、また、ドア本体が閉じているときにおける上記基端部からの揺動部材の延び方向が前記引き操作力の方向に対して傾き角度を有していればよい。
【０００９】
本発明において、ドア本体の幅方向途中部が揺動部材の先端部で回動自在に支持されることは、揺動部材がこの揺動部材の基端部を中心に揺動を行う面と直角をなす軸、すなわち、揺動部材がこの揺動部材の基端部を中心に揺動を行う面が水平面である場合には、水平面と直角をなす軸である垂直軸を中心として、ドア本体の幅方向途中部が基端部を中心に揺動自在となった揺動部材の先端部で回動自在に支持されることによりなされ、本発明は、基端部を中心に揺動する揺動部材の揺動面が水平面以外の面、例えば、垂直面や傾斜面となっているバランスドアにも適用できる。
【００１０】
前記連結部は揺動部材の先端に直接設けてもよく、揺動部材の先端に取り付け、取り外し自在な取付部材を設け、この取付部材に、ドア本体と連結されて前記連結部を形成する連結部材を設けるようにしてもよい。
【００１１】
後者とした場合には、複数の取付部材を用意し、それぞれの取付部材に設ける連結部材についてドア本体厚さ方向中央部からの偏芯量を異ならせ、そして、用いる取付部材を選択できるようにしておくと、ドア本体の寸法等を違えて各種用意されるそれぞれのバランスドアごとに適切となった偏芯量を設定することができるようになり、各種のサイズのバランスドアに対して有効に適用できるようになる。
【００１２】
また、前記揺動部材は、ドア本体の表面又は裏面と対面する面積を有するパネル状のものでもよく、ドア本体の上下に配置される上アーム部材と下アーム部材とからなるものでもよい。
【００１３】
揺動部材を、ドア本体の上下に配置される上アーム部材と下アーム部材とからなるものとした場合には、ドア本体の幅方向途中部と上アーム部材の先端部との連結部、及びドア本体の幅方向途中部と下アーム部材の先端部との連結部を、ドア本体の厚さ方向中央部から偏芯させることにより、ドア本体を引戸の感覚で引き操作した場合に、この引き操作力によって上下のアーム部材をこれらのアーム部材の基端部を中心に揺動させようとする力が生じ、これにより、上下のアーム部材の揺動がなされ、ドア本体を単に引き操作するだけで容易に開くことができる。
【００１４】
このように揺動部材をドア本体の上下に配置される上アーム部材と下アーム部材とからなるものとした場合には、上アーム部材と下アーム部材のうち、少なくとも一方の先端に取り付け、取り外し自在な取付部材を設け、この取付部材に、ドア本体と連結されて前記一方との前記連結部を形成する連結部材を設けてもよい。
【００１５】
このようにした場合には、前述と同じく、複数の取付部材を用意し、それぞれの取付部材に設ける連結部材についてドア本体厚さ方向中央部からの偏芯量を異ならせ、そして、用いる取付部材を選択できるようにしておくことにより、ドア本体の寸法等を違えて各種用意されるそれぞれのバランスドアごとに適切となった偏芯量を設定することができるようになる。
【００１６】
また、揺動部材がドア本体の表面又は裏面と対面する面積を有するパネル状のものになっている場合と、ドア本体の上下に配置される上アーム部材と下アーム部材とからなるものになっている場合との両方において、前記取付部材には、揺動部材に対するドア本体の位置を調整するための位置調整手段を設けてもよい。
【００１７】
このようにすると、揺動部材に対するドア本体の位置調整作業や、ドア本体の外側に外枠組みが配置されていればその外枠組みに対するドア本体の位置調整作業を行えるようになるとともに、前記連結部を形成する前記連結部材と上記位置調整手段とを取付部材にまとめて配置できるようになり、これらの配置を合理的かつコンパクトに行えるようになる。
【００１８】
このようにした場合、位置調整手段はドア本体の位置を一つの方向に調整する１個だけでもよく、ドア本体の位置を互いに直角をなす複数の方向に調整するための複数個でもよい。
【００１９】
また、本発明に係るバランスドアには、揺動部材をこの揺動部材の基端部を中心に戻り揺動させてドア本体に自閉力を付与するための自閉装置を設けてもよく、設けなくてもよい。
【００２０】
バランスドアにこのような自閉装置を設け、そして、ドア本体の幅方向途中部と、パネル状のもの又は上下のアーム部材からなるものになっている前記揺動部材の先端部との連結部を、前記ドア本体の厚さ方向中央部から偏芯させると、自閉装置の自閉力により、ドア本体が閉じた後もドア本体をさらに閉じ方向へ移動させようとする力が生ずることになる。このため、ドア本体の閉じ状態をより確実なものにできるという作用効果を得られる。
【００２１】
この自閉装置は、パネル状のもの又は上下のアーム部材からなるものになっている前記揺動部材の揺動中心部である前記基端部に揺動中心部材が設けられていれば、この揺動中心部材に配置してもよく、あるいは、ドア本体の外側に外枠組みがあればその外枠組みと、揺動部材との間に配置してもよく、その配置位置は任意である。
【００２２】
また、自閉装置の原理、構造等は、揺動部材をこの揺動部材の基端部を中心に戻り揺動させようとする自閉力を生じさせるものであれば、例えば、螺旋型ばね（ねじり型ばね）又は圧縮型ばね等を使用したものでよく、任意である。
【００２３】
さらに、パネル状のもの又は上下のアーム部材からなるものになっている前記揺動部材の揺動中心部は、ドア本体の外側に外枠組みが設けられていれば、この外枠組みと揺動部材との連結部となっていてもよい。
【００２４】
【発明の実施の形態】
以下に本発明の一実施形態を図面に基づいて説明する。本実施形態は、トイレ室等の空間を仕切るために間仕切り壁に設けられるバランスドアの場合で、図１はそのバランスドアの室内側を示す正面図であり、図２は、その背面図である。図３は、図１のIII−III線断面図、図４は、図２のIV−IV線断面図である。
【００２５】
バランスドアの開口部である出入口１を内側に形成する外枠組み２は、上枠３と、左右の縦枠４，５とで形成され、これらの上枠３、縦枠４，５は、図３、図４に示されているとおり、アンカーブラケット６を介して建物躯体に結合されている。出入口１の縦枠４側の端部には、出入口１の上下方向を軸方向とする中心軸を中心に揺動自在となっている揺動筒部材７が立設され、揺動中心部材になっているこの揺動筒部材７は、図３で示されているように角筒状である。
【００２６】
揺動筒部材７の側面の上下端部には、図１で示すように、出入口１の幅方向に延びていて揺動部材になっている上下のアーム部材８，９の後端部が結合され、これらのアーム部材８，９の基端部を形成している揺動筒部材７を中心に出入口１と直角をなす水平面内で揺動自在になっているこれらのアーム部材８，９における出入口１の幅方向の先端部に、出入口１に配置されていて出入口１を開閉するドア本体１０の幅方向途中部が連結され、この連結は、出入口１の上下方向を軸方向とする中心軸（垂直軸）を中心に回動自在になされている。また、上枠３の下面には不動部材１１が固定され、上アーム部材８が揺動筒部材７を中心とした揺動により上枠３の真下に達したとき、この上アーム部材８と不動部材１１とが一直線上に並び、高さ寸法及び幅寸法が互いに対応しているこれらの上アーム部材８と不動部材１１とにより、外観上、上枠３の下部の横枠部材が形成されるようになっている。
【００２７】
また、図２に示すように、上アーム部材８と不動部材１１との裏側において、上枠３の下面には出入口１の幅方向、すなわち、ドア本体１０の幅方向に延びるガイド部材であるガイドレール１２が取り付けられ、出入口１の幅方向全長の長さ又はこの全長より短い長さを有しているこのガイドレール１２は、図４に示すとおり、下面が開口したチャンネル状であり、この開口した部分には、ガイドレール１２の幅方向両側から内側に延びる延出部１２Ａが形成されている。
【００２８】
内部に耐熱材等の芯材１０Ａが充填されているドア本体１０の幅方向途中部の上部には、ドア本体１０の厚さ方向に突出したブラケット１３が設けられ、このブラケット１３に立設された垂直軸１４にローラ１５が回転自在に取り付けられ、ガイドレール１２で案内される被ガイド部材になっているこのローラ１５は、ガイドレール１２の内部に挿入されて延出部１２Ａ上に載せられている。
【００２９】
このため、ドア本体１０を図１、図２で示された把持部１６で操作すると、揺動筒部材７を中心とした上下のアーム部材８，９の揺動運動と、ガイドレール１２に沿ったローラ１５の直線運動とにより、ドア本体１０は、図５の模式的平面図で示すように、アーム部材８，９に対して出入口１と直角をなす水平面内で回動しながら出入口１の幅方向に移動することにより、すなわち、ローラ１５がガイドレール１２で案内されながらドア本体１０の幅方向へ移動しつつ、ドア本体１０が、基端部を中心に揺動する上下のアーム部材８，９の先端部の垂直軸を中心にして回動することにより、出入口１を開閉することになる。
【００３０】
図３に示すように、縦枠４，５には戸当たり部材１７，１８が設けられているため、ドア本体１０が出入口１を閉じたときには、ドア本体１０の表裏両面に戸当たり部材１７，１８が当たることにより、ドア本体１０のそれ以上の回動が阻止される。
【００３１】
また、図面では省略されているが、ドア本体１０の両方の端面には、起倒操作自在になっている把持部材１６の操作で出没するラッチ部材が配置され、出入口１を閉じたドア本体１０からこのラッチ部材が突出し、縦枠４，５に設けられている凹部状のラッチ受け部材に侵入する。
【００３２】
図６には、出入口１を閉じたときのドア本体１０が実線で示され、出入口１を開いたときのドア本体１０が仮想線で示されている。この図６では、縦枠５、揺動筒部材７、上下のアーム部材８，９、不動部材１１、ガイドレール１２が示され、その他は省略されている。
【００３３】
図７には、上下のアーム部材８，９とドア本体１０との連結構造が示されている。通常時、上アーム部材８には取り外し自在なカバー２０が被せられている。上下のアーム部材８，９とドア本体１０との連結は、共に出入口１の上下方向を軸方向とする上アーム部材８側の第１連結ピン２２と、下アーム部材９側の第２連結ピン２６とを中心にドア本体１０が回転自在となってなされている。これらの連結ピン２２，２６が、上下のアーム部材８，９の先端部の前述した垂直軸である。
【００３４】
図７には、前記揺動筒部材７の揺動中心軸に関する構造も示されている。揺動筒部材７の上側の中心軸はピボット装置４０のピン４１であり、下側の中心軸は、出入口１を開けたときに、上下アーム８，９に基端部を中心とした戻り揺動力を生じさせることにより、ドア本体１０に自閉力を付与するための自閉装置５０の作動軸５１である。出入口１の上下方向を軸方向とするこれらのピン４１と作動軸５１を中心に揺動筒部材７は揺動可能である。自閉装置５０は、揺動筒部材７の内部下側に収納されている。
【００３５】
ピボット装置４０は、上枠３に取り付けられた第１基板４２と、上アーム部材８の上面に取り付けられた第２基板４３とを有し、第２基板４３には揺動筒部材７の内部に臨んで前記ピン４１が挿入されるピン受け部材４４が固定されている。また、第１基板４２には、回転させることにより上下方向に移動する操作ねじ４５と、一端がこの操作ねじ４５に係合し、他端にピン４１が係合したレバー４６と、このレバー４６の揺動中心部材４７とが設けられている。
【００３６】
揺動筒部材７が前記外枠組み２の内側に形成された出入口１の所定位置に立てられる前は、操作ねじ４５がねじ込み操作されていて、レバー４６の操作ねじ４５側の端部が下がっているため、ピン４１は上昇位置にある。揺動筒部材７を所定位置に立てた後、操作ねじ４５を回転させてレバー４６の操作ねじ４５側の端部を上げることにより、ピン４１は下降してピン受け部材４４の内部に挿入され、これにより揺動筒部材７の上端は上枠３に連結される。
【００３７】
図８は、図7のVIII−VIII線断面図である。自閉装置５０の本体である外筒５２の下部には、四角状のブロック部材５３が外筒５２と結合一体化されて設けられ、このブロック部材５３の内部と外筒５２の内部途中まで挿入されている作動軸５１（図７参照）の下端５１Ａがブロック部材５３の下面から突出し、この下端５１Ａは角型テーパ状となっている。揺動筒部材７の内部においてブロック部材５３は、図８で示すように、揺動筒部材７にビス５４で結合され、したがって外筒５２も揺動筒部材７と結合一体化されている。
【００３８】
図７、図８で示すとおり、揺動筒部材７が立てられる床５５の所定位置には、作動軸５１の下端５１Ａが係合状態で挿入される受け部材５６が埋設されており、揺動筒部材７を前述した所定位置に立てる際には、この受け部材５６に作動軸５１の下端５１Ａを挿入係合させて行う。受け部材５６には床５５の上面から垂直部５７Ａが突出した係止部材５７が結合されており、この垂直部５７Ａを図２、図３で示した前記縦枠４にビス、溶接等で結合する。
【００３９】
このため、自閉装置５０の作動軸５１は、受け部材５６、係止部材５７を介して縦枠４に連結されており、これに対して揺動筒部材７に結合されている外筒５２は、上下アーム部材８，９を揺動させてドア本体１０を出入口１に対して開閉動させることによって、揺動筒部材７をピボット装置４０のピン４１と自閉装置５０の作動軸５１を中心に揺動させたとき、揺動筒部材７と共に揺動することになり、作動軸５１は回転しない。
【００４０】
外筒５２の内部には螺旋型ばねが収納され、このばねの下端は作動軸５１に結合され、上端は外筒５２の内部に回転自在に収納されているリング部材６１に結合されている。図８に示すとおり、外筒５２にはリング部材６１の一部が露出する窓孔６２が形成されており、この窓孔６２に、リング部材６１の全周に亘って等間隔で設けられている穴６３のうちの複数個が臨んでいる。これら複数個の穴６３にピンを順次差し込み、抜き取ることを繰り返すによってリング部材６１を一方向に回転させることにより、螺旋型ばねの巻き込みがなされてこのばねにばね力が蓄圧され、一つの穴６３に差し込んだピンをそのまま残すことにより、ピンが窓孔６２の周縁部に係止されるため、螺旋型ばねのそのときの蓄圧力が維持される。
【００４１】
このような状態になっているときに、出入口１を閉じていたドア本体１０を開くと、外筒５２は揺動筒部材７と共に作動軸５１を中心に一方向（螺旋型ばねを巻き込む方向）に揺動することになり、ドア本体１０から手を離すと、ドア本体１０は螺旋型ばねの蓄圧力で自動的に閉じることになる。このときのドア本体１０の自閉力の大きさは、螺旋型ばねに蓄圧されているばね力の大きさに応じたものとなる。
【００４２】
したがって、リング部材６１を前記ピンで回転させたときの回転角度量の大きさによってドア本体１０の自閉力の大きさを決めることができる。また、リング部材６１の穴６３からピンを抜き取った場合には、リング部材６１は外筒５２に対し自由状態となって螺旋型ばねの蓄圧力が開放されるため、このときには、バランスドアをドア本体１０の自閉力が消滅した手動操作式のものとすることができる。
【００４３】
また、外筒５２の内部には作動油が充填されている。さらに、外筒５２の内部には、この作動油を一方向へは自由に通過させ、作動油の他方向への通過は弁部材で阻止するオリフィスを備えたオリフィス部材と、テーパピンが挿入されていて作動油が流通できる貫通孔を備えた作動油流通絞り部材とが収納されている。
【００４４】
出入口１を閉じていたドア本体１０を開く場合には、作動油はオリフィスを自由に通過し、したがって、ドア本体１０の開き操作は、その開き速度のまま自由に行える。一方、ドア本体１０を閉じる場合には、上記弁部材でオリフィスが塞がれ、また、作動油は上記テーパピンが挿入された上記貫通孔をこのテーパピンで絞られながら流通するため、ドア本体１０の閉じ速度は減速される。テーパピンは、図８で示された外筒５２の上部の円板部材７６を回転操作することにより貫通孔に対して移動するため、この円板部材７６の回転操作により、貫通孔を作動油が流通するときのテーパピンによる絞り量を変更することができ、これにより、ドア本体１０の閉じ速度を調整することができる。
【００４５】
なお、揺動筒部材７には、以上のリング部材６１、円板部材７６を回転操作できるようにするための窓孔８０，８１が形成されており、これらの窓孔８０，８１は、通常時、取り外し可能な蓋部材８２，８３で塞がれている。
【００４６】
図７において、上アーム部材８の先端には止着具であるビス３８，３９で取付部材２１が取り付けられ、取付部材２１には前述した第１連結ピン２２が垂直に配置されている。ドア本体１０の上面にはベアリング保持部材２３がビス２４で固定され、第１連結ピン２２の下部はこの保持部材２３で保持されたベアリング２５に挿入され、下端のフランジ部２２Ａがベアリング２５の下面に係止されている。また、下アーム部材９の先端には、第１連結ピン２２の真下において前述した第２連結ピン２６が垂直に設けられ、ドア本体１０の下面にはベアリング保持部材２７がビス２８で固定されている。この保持部材２７で保持されたベアリング２９に第２連結ピン２６が挿入され、この第２連結ピン２６は、固定具である小ねじ２６Ａで下アーム部材９に固定されている。
【００４７】
このため、上下のアーム部材８，９の先端部とドア本体１０の幅方向途中部との連結は、前述したとおり、垂直軸となっている第１及び第２連結ピン２２，２６を中心にドア本体１０が回転自在となってなされている。したがって、これらの連結ピン２２，２６によって上下のアーム部材８，９の先端部とドア本体１０の幅方向途中部との連結部が形成され、連結ピン２２，２６はこれらを連結するための連結部材となっている。
【００４８】
また、ドア本体１０は第１連結ピン２２で上アーム部材８に吊り下げられた状態で支持され、ドア本体１０の重量は上アーム部材８で支持されているため、ドア本体１０が出入口１に対して開閉動を行うとき、ガイドレール１２に挿入係合されている図４の前記ローラ１５にドア本体１０の重量を支持させる必要がない。このため、ローラ１５を、前述のとおり、垂直軸１４を中心に回動自在とし、ガイドレール１２の内側面をガイド面にさせて転動させればよいため、ガイドレール１２に案内させて行わせるローラ１５の直線運動を摩擦のない又は極めて小さい円滑のものとして行わせることができ、この結果、ドア本体１０の開閉動をスムーズなものにできる。
【００４９】
また、本実施形態では、第１連結ピン２２には雄ねじ部２２Ｂが形成され、この雄ねじ部２２Ｂは、取付部材２１の上面に出入口１の幅方向にスライド自在に配置されたスライダ部材３０の孔に挿入されている。そして、この雄ねじ部２２Ｂは、取付部材２１の先端から出入口１の幅方向へ形成された凹部２１Ａに挿入されているとともに、雄ねじ部２２Ｂに上下のロックナット３１，３２が螺合されている。このため、ロックナット３２を緩めた後、ロックナット３１を工具等で回り止めしながら第１連結ピン２２を回転させると、その回転方向に応じて第１連結ピン２２は上下動し、これにより、ドア本体１０の全体高さ位置を上下のアーム部材８，９及び外枠組み２に対して調整でき、そしてロックナット３２を締め付けて第１連結ピン２２をロックすることにより、ドア本体１０をその高さ位置に固定できる。
【００５０】
また、スライダ部材３０は、出入口１の幅方向に長い長孔３３に挿入されて取付部材２１に螺入された止めねじ３４で取付部材２１に止められているとともに、スライダ部材３０の端部に形成されている立上り部３０Ａには、横向きの調整ねじ３５が軸方向には不動となって回転自在に係合支持され、この調整ねじ３５は取付部材２１の雌ねじ２１Ｂに螺入されている。止めねじ３４及び下側のロックナット３２を緩めた後、調整ねじ３５を工具で回転させると、その回転方向に応じてスライダ部材３０は出入口１の幅方向に進退する。これにより、ドア本体１０は第２連結ピン２６を中心に垂直面内で若干傾きながらも全体的には出入口１の幅方向に移動し、この方向におけるドア本体１０の上下のアーム部材８，９及び外枠組み２に対する位置が調整された後、止めねじ３４及び下側のロックナット３２を締め付けることにより、ドア本体１０はその位置で固定される。
【００５１】
図９には、以上説明した取付部材２１を上アーム部材８から分離し、ドア本体１０の上端に設けられている前記ベアリング保持部材２３もドア本体１０から分離した状態が示されている。
【００５２】
前述したとおり、第１連結ピン２２を回転操作すると、ドア本体１０の高さ方向の位置調整がなされるため、この第１連結ピン２２と、このピン２２に螺合されるロック位置調整ナット３１，３２とにより、ドア本体１０の高さ方向位置調整手段Ａが形成されている。また、調整ねじ３５を回転操作してスライダ部材３０をドア本体１０の幅方向に移動させることにより、ドア本体１０の幅方向の位置調整がなされるため、これらの調整ねじ３５、スライダ部材３０、さらには止めねじ３４により、ドア本体１０の幅方向位置調整手段Ｂが形成されている。
【００５３】
ドア本体１０を互いに直角をなす高さ方向と幅方向との２次元方向に位置調整するためのこれらの手段Ａ，Ｂは、通常時、上アーム部材８に被せられている前述したカバー２０で覆われている。
【００５４】
これらの手段Ａ，Ｂによるドア本体１０の位置調整作業を行うときには、ドア本体１０を前記出入口１から開き移動させることにより、上アーム部材８の先端部を前記上枠２の下側から突出させた後、カバー２０を取り外す。そして、ドア本体１０の位置調整作業を、前述したように第１連結ピン２２、調整ねじ３４を回転操作することにより行う。
【００５５】
本実施形態では、これらの位置調整手段Ａ，Ｂは、上アーム部材８にビス３８，３９で取り付け、取り外し自在に設けられている取付部材２１に配置されている。
【００５６】
取付部材２１の上アーム部材８への取り付けはビス３８，３９でなされ、この取り付け時には、ベアリング２５を保持した前記ベアリング保持部材２３をビス２４でドア本体１０の上端に取り付けておき、予めベアリング２５に下側から挿入しておいた第１連結ピン２２を取付部材１２の前記凹部２１Ａ及びスライダ部材３０の孔３０Ｂに挿入し、この第１連結ピン２に螺合しておいたロックナット３１，３２の締め付けを行う。これにより、上アーム部材８とドア本体１０とは、これらを連結するための連結部材となっている第１連結ピン２２で連結されることになる。
【００５７】
図１０には、図７で示されたドア本体１０の下端のベアリング保持部材２７をドア本体１０から分離した状態が示されている。このベアリング保持部材２７はビス２８でドア本体１０の下端に取り付けられ、この取り付け後、小ねじ２６Ａで下アーム部材９に固定されていた前記第２連結ピン２６をベアリング２９に挿入する。これにより、下アーム部材９とドア本体１０とは、これらを連結するための連結部材となっている第２連結ピン２６で連結されることになる。
【００５８】
図１１は、図７のXI―XI線断面図である。この図で示すように、第１連結ピン２２及び第２連結ピン２６はドア本体１０の厚さ方向中央部に配置されておらず、この厚さ方向中央部から偏芯量Ｅだけずれた位置に配置されている。したがって、ドア本体１０と上下のアーム部材８，９との連結部は、ドア本体１０の厚さ方向中央部からＥだけ偏芯している。この偏芯方向は、図５で示した上下のアーム８，９が前記揺動筒部材７を中心に揺動する側である。
【００５９】
図１２は、上アーム部材８、ドア本体１０、揺動筒部材７の概略平面図である。以上のように、ドア本体１０と上下のアーム部材８，９とのピン２２，２６による連結部Ｈをドア本体１０の厚さ方向中央部からＥだけ偏芯させておくと、ドア本体１０を開くためにドア本体１０に設けられている前記把持部材１６でドア本体１０を図１２において左側に引き操作した場合、把持部材１６の配置位置と対応するドア本体１０の厚さ方向中央部の箇所Ｇでは、図１３のベクトル図で示すとおり、ドア本体１０の幅方向への引き操作力Ｆが生ずる。この操作力Ｆにより、連結部Ｈがドア本体１０の厚さ方向中央部からＥだけ偏芯していることから、引き操作力Ｆを受けるこの連結部Ｈにおいて、上下のアーム部材８，９と直角をなす分力Ｆ１と、この分力Ｆ１に直角で上下のアーム部材８，９の延び方向（長さ方向）と一致する分力Ｆ２とが生ずる。上下のアーム部材８，９の揺動中心部となっている前記揺動筒部材７は、前記出入口１を閉じているときのドア本体１０の厚さ方向中心部の延長線上にあるため、これらの分力のうち、分力Ｆ１は、上下のアーム部材８，９を上記揺動中心部を中心に揺動させるための力となる。
【００６０】
この結果、ドア本体１０を横に引くだけで、すなわち、ドア本体１０を引戸の感覚で引き操作するだけで、上下のアーム部材８，９を揺動させてドア本体１０を容易に開くことができる。
【００６１】
また、図１４は、ドア本体１０が出入口１を閉じているときにおける前記自閉装置５０の自閉力によるベクトル図である。このときには、自閉装置５０の前記螺旋型ばねの蓄圧力により、上下のアーム部材８，９には上記揺動中心部を中心にアーム部材８，９を戻り揺動させようとする力、すわなち、これらのアーム部材８，９の揺動円の接線方向への戻り揺動力Ｆが作用している。前記連結部Ｈがドア本体１０の厚さ方向中央部から偏芯しているため、この戻り揺動力Ｆにより、互いに直角をなす分力Ｆ１とＦ２とが生ずる。これらの分力Ｆ１とＦ２のうち、分力Ｆ１は、図５で示したドア本体１０の開閉時の運動を示す模式的平面図から理解できるように、ドア本体１０をドア本体１０の幅方向へ移動させようとする力となり、このため、出入口１に対してドア本体１０が少し開いた状態で止まっていても、ドア本体１０を確実に閉じた位置まで移動させることになり、ドア本体１０の確実な閉じ状態を確保することができる。
【００６２】
また、本実施形態によると、上アーム８とドア本体１０との連結部材となっている前記第１連結ピン２２は、図７で示されているように、上アーム部材８の先端に設けられた取付部材２１に配置され、この取付部材２１は取り付け、取り外し自在であるため、前記偏芯量Ｅが異なる複数の取付部材を用意しておくことにより、例えば、ドア本体１０の縦寸法等の寸法が異なる各種のバランスドアについて、それぞれのバランスドアごとに適切となった偏芯量を設定することができる。
【００６３】
また、本実施形態の取付部材２１には、ドア本体１０の位置を上下のアーム部材８，９等に対して調整を行うための前記位置調整手段Ａ，Ｂも設けられているため、ドア本体１０と上アーム部材８との連結部材として第１連結ピン２２と、これらの位置調整手段Ａ，Ｂとを取付部材２１にまとめて合理的に配置でき、取付部材２１を除く上アーム部材８にこれらを配置するための特別の構造を設ける必要がなくなる。
【００６４】
【発明の効果】
本発明によると、ドア本体を引き操作することにより容易に開くことができるバランスドアとなるという効果を得られる。
【図面の簡単な説明】
【図１】バランスドアの室内側を示す正面図である。
【図２】バランスドアの背面図である。
【図３】図１のIII−III線断面図である。
【図４】図２のIV−IV線断面図である。
【図５】ドア本体の開閉時の運動を示す模式的平面図である。
【図６】ドア本体が閉じたときを実線で、開いたときを仮想線で示した斜視図である。
【図７】ドア本体の位置調整手段を含む揺動部材である上下のアーム部材とドア本体との連結構造、及び揺動中心部材である揺動筒部材の揺動中心軸の構造を示す一部破断のドア本体及びその周囲の縦断面図である。
【図８】図７のVIII−VIII線断面図である。
【図９】図７で示された上アーム部材から取付部材を分離し、ドア本体の上端に設けられたベアリング保持部材もドア本体から分離した状態を示す縦断面図である。
【図１０】図７で示されたドア本体の下端のベアリング保持部材をドア本体から分離した状態を示す縦断面図である。
【図１１】図７のXI―XI線断面図である。
【図１２】上アーム部材、ドア本体の概略平面図であって、ドア本体と上下のアーム部材との連結部がドア本体の厚さ方向中央部から偏芯していることを示す図である。
【図１３】ドア本体を開くために引き操作したときのベクトル図である。
【図１４】ドア本体が閉じているときの自閉装置の自閉力によるベクトル図である。
【符号の説明】
１  開口部である出入口
２  バランスドアの外枠組み
７  揺動中心部材である揺動筒部材
８，９  揺動部材である上下のアーム部材
１０  ドア本体
１２  ガイド部材であるガイドレール
１５  被ガイド部材であるローラ
２１  取付部材
２２，２６  連結部材である連結ピン
３０  スライダ部材
３５  回転操作部材である調整ねじ
Ａ  ドア本体の高さ方向位置調整手段
Ｂ  ドア本体の幅方向位置調整手段
Ｈ  ドア本体と上下のアーム部材との連結部
【図１】
0004459359.tif 000002
【図２】
0004459359.tif 000003
【図３】
0004459359.tif 000004
【図４】
0004459359.tif 000005
【図５】
0004459359.tif 000006
【図６】
0004459359.tif 000007
【図７】
0004459359.tif 000008
【図８】
0004459359.tif 000009
【図９】
0004459359.tif 000010
【図１０】
0004459359.tif 000011
【図１１】
0004459359.tif 000012
【図１２】
0004459359.tif 000013
【図１３】
0004459359.tif 000014
【図１４】
0004459359.tif 000015